(57)【特許請求の範囲】
【請求項１】
携帯通信端末が通信可能に接続される車両用通信装置であって、
前記携帯通信端末から施設に関する施設情報を取得する情報取得手段と、
前記携帯通信端末について前記情報取得手段が当該携帯通信端末から取得した前記施設情報を当該携帯通信端末に対応付けて記憶部に記憶する情報記憶手段と、
前記記憶部に記憶されている前記施設情報に対応する前記携帯通信端末が再び接続された場合に、前記記憶部に記憶されている前記施設情報を表示する一方、前記携帯通信端末とは異なる携帯通信端末が接続された場合には、前記記憶部に記憶されている前記施設情報を表示しない情報表示手段と、
前記記憶部に記憶されている前記施設情報を更新する情報更新手段と、
前記情報更新手段による前記施設情報の更新の許可または不許可を指示する情報更新許可手段と、
を備え、
前記情報記憶手段は、前記施設情報を前記携帯通信端末の識別情報に対応付けて前記記憶部に記憶するように構成されているとともに、１つの前記携帯通信端末に対してのみ前記情報取得手段が当該携帯通信端末から取得した前記施設情報を前記記憶部に記憶するように構成され、
前記情報表示手段は、接続された携帯通信端末が前記記憶部に記憶されている前記識別情報と同一の識別情報を有する携帯通信端末であるか否かを判定し、接続された携帯通信端末が同一の識別情報を有する携帯通信端末であると判定した場合に、前記記憶部に記憶されている前記施設情報を表示する一方、接続された携帯通信端末が同一の識別情報を有する携帯通信端末でないと判定した場合には、前記記憶部に記憶されている前記施設情報を表示しないように構成され、
前記記憶部に記憶されている前記施設情報に対応する前記携帯通信端末とは異なる携帯通信端末が接続された場合に、前記情報更新許可手段によって前記情報の更新の許可が指示されると、
前記情報取得手段は、前記異なる携帯通信端末から施設情報を取得し、
前記情報更新手段は、前記記憶部に記憶されている前記施設情報を、前記異なる携帯通信端末について前記情報取得手段が当該携帯通信端末から取得した施設情報に更新することを特徴とする車両用通信装置。
【請求項２】
前記情報取得手段は、近距離無線通信により前記携帯通信端末から前記施設情報を取得することを特徴とする請求項１に記載の車両用通信装置。
【請求項３】
携帯通信端末と、当該携帯通信端末と通信可能に接続される車両用通信装置を備える車両用通信システムであって、
前記携帯通信端末は、
外部の情報源から施設に関する施設情報を取得して保持する施設情報保持手段と、
前記施設情報を前記車両用通信装置へ送信する施設情報送信手段と、
を備え、
前記車両用通信装置は、
前記携帯通信端末から前記施設情報を取得する情報取得手段と、
前記携帯通信端末について前記情報取得手段が当該携帯通信端末から取得した前記施設情報を当該携帯通信端末に対応付けて記憶部に記憶する情報記憶手段と、
前記記憶部に記憶されている前記施設情報に対応する前記携帯通信端末が再び接続された場合に、前記記憶部に記憶されている前記施設情報を表示する一方、前記携帯通信端末とは異なる携帯通信端末が接続された場合には、前記記憶部に記憶されている前記施設情報を表示しない情報表示手段と、
前記記憶部に記憶されている前記施設情報を更新する情報更新手段と、
前記情報更新手段による前記施設情報の更新の許可または不許可を指示する情報更新許可手段と、
を備え、
前記情報記憶手段は、前記施設情報を前記携帯通信端末の識別情報に対応付けて前記記憶部に記憶するように構成されているとともに、１つの前記携帯通信端末に対してのみ前記情報取得手段が当該携帯通信端末から取得した前記施設情報を前記記憶部に記憶するように構成され、
前記情報表示手段は、接続された携帯通信端末が前記記憶部に記憶されている前記識別情報と同一の識別情報を有する携帯通信端末であるか否かを判定し、接続された携帯通信端末が同一の識別情報を有する携帯通信端末であると判定した場合に、前記記憶部に記憶されている前記施設情報を表示する一方、接続された携帯通信端末が同一の識別情報を有する携帯通信端末でないと判定した場合には、前記記憶部に記憶されている前記施設情報を表示しないように構成され、
前記記憶部に記憶されている前記施設情報に対応する前記携帯通信端末とは異なる携帯通信端末が接続された場合に、前記情報更新許可手段によって前記情報の更新の許可が指示されると、
前記情報取得手段は、前記異なる携帯通信端末から施設情報を取得し、
前記情報更新手段は、前記記憶部に記憶されている前記施設情報を、前記異なる携帯通信端末について前記情報取得手段が当該携帯通信端末から取得した施設情報に更新することを特徴とする車両用通信システム。
【請求項４】
前記施設情報保持手段は、前記施設情報送信手段により前記施設情報を前記車両用通信装置へ送信した後も、前記情報源から取得した前記施設情報を保持し続けることを特徴とする請求項３に記載の車両用通信システム。
【発明の詳細な説明】
【技術分野】
【０００１】
本発明は、携帯通信端末が接続されると当該携帯通信端末から情報を取得する車両用通信装置、および、当該車両用通信装置を備える車両用通信システムに関する。
【背景技術】
【０００２】
近年では、近距離通信機能を有する通信装置を車両に搭載し、この通信装置に携帯通信端末（携帯電話機など）を有線あるいは無線によって接続して、当該携帯通信端末に記憶してある各種の情報を車両側の通信装置に送信する技術が考えられている（例えば、特許文献１参照）。このように携帯通信端末から車両用通信装置に送信された情報（例えば、各種施設などに関するＰＯＩ（Point Of Interface）情報）は、例えばナビゲーション装置による経路案内の際に設定される目的地や経由地の情報として利用することができる。
【先行技術文献】
【特許文献】
【０００３】
【特許文献１】特開２００４−２４８０４２号公報
【発明の概要】
【発明が解決しようとする課題】
【０００４】
ところで、上記のように携帯通信端末から車両用通信装置に送信される情報、つまり、携帯通信端末に記憶してある情報は、その携帯通信端末の所有者の好みや行動パターンなどに応じて変わってくるものであり、従って、個人情報の一種としても捉えることができる。そのため、このような個人情報、つまり、自身の携帯通信端末から車両用通信装置に送信した情報を他人には見られたくないという要望がある。
本発明は、上記した事情に鑑みてなされたものであり、その目的は、携帯通信端末から車両用通信装置に送信した情報を他人に見られることなく保護することができる車両用通信装置、および、当該車両用通信装置を備える車両用通信システムを提供することにある。
【課題を解決するための手段】
【０００５】
請求項１に記載した発明によれば、携帯通信端末が通信可能に接続される車両用通信装置において、情報取得手段は、前記携帯通信端末から施設に関する施設情報を取得する。情報記憶手段は、前記携帯通信端末について前記情報取得手段が当該携帯通信端末から取得した施設情報を当該携帯通信端末に対応付けて記憶部に記憶する。情報表示手段は、前記記憶部に記憶されている施設情報に対応する前記携帯通信端末が再び接続された場合に、前記記憶部に記憶されている施設情報を表示部に表示する一方、携帯通信端末とは異なる携帯通信端末が接続された場合には、記憶部に記憶されている施設情報を表示しないように構成されている。
これにより、記憶部に記憶されている施設情報は、その施設情報に対応する携帯通信端末が再び車両用通信装置に接続された場合にのみ表示されるようになり、その施設情報に対応する携帯通信端末とは異なる携帯通信端末が車両用通信装置に接続されたとしても表示されないようになる。従って、携帯通信端末から車両用通信装置に送信した情報（この場合、特に、施設に関する施設情報）を、その携帯通信端末とは異なる携帯通信端末を所有する他人に見られることなく保護することができる。
【０００６】
また、請求項１に記載した発明によれば、情報取得手段は、施設情報を携帯通信端末の識別情報に対応付けて記憶部に記憶するように構成されている。そして、情報表示手段は、接続された携帯通信端末が記憶部に記憶されている識別情報と同一の識別情報を有する携帯通信端末であるか否かを判定し、接続された携帯通信端末が同一の識別情報を有する携帯通信端末であると判定した場合に、記憶部に記憶されている施設情報を表示する一方、接続された携帯通信端末が同一の識別情報を有する携帯通信端末でないと判定した場合には、記憶部に記憶されている施設情報を表示しないように構成されている。
このように、施設情報の記憶処理および表示処理を携帯通信端末の識別情報を関連付けて実行することにより、対象となる携帯通信端末を正確に特定したり判定したりすることができるようになり、処理の正確性を向上することができる。
【０００７】
また、請求項１に記載した発明によれば、情報記憶手段は、１つの携帯通信端末に対してのみ情報取得手段が当該携帯通信端末から取得した施設情報を記憶部に記憶するように構成されている。また、情報更新手段は、前記記憶部に記憶されている前記施設情報を更新する処理を実行可能であり、情報更新許可手段は、前記情報更新手段による前記施設情報の更新の許可または不許可を指示する処理を実行可能である。そして、前記記憶部に記憶されている施設情報に対応する前記携帯通信端末とは異なる携帯通信端末が接続された場合に、前記情報更新許可手段によって前記情報の更新の許可が指示されると、前記情報取得手段は、前記異なる携帯通信端末から施設情報を取得し、前記情報更新手段は、前記記憶部に記憶されている施設情報を、前記異なる携帯通信端末について前記情報取得手段が当該携帯通信端末から取得した施設情報に更新する。
【０００８】
これにより、記憶部に記憶されている施設情報に対応する携帯通信端末とは異なる携帯通信端末が車両用通信装置に接続された場合に、記憶部に記憶されている施設情報の更新が許可されると、その異なる携帯通信端末から取得した施設情報が新たに記憶部に記憶されるようになる。即ち、以降においては、その異なる携帯通信端末から車両用通信装置に送信した施設情報を、他人に見られることなく保護することができるようになる。
なお、携帯通信端末は、例えばＢｌｕｅｔｏｏｔｈ通信回線（Ｂｌｕｅｔｏｏｔｈ：登録商標）など無線の近距離通信回線を介して車両用通信装置に通信可能に接続することができ、従って、請求項２に記載した発明のように、車両用通信装置は、情報取得手段により、近距離無線通信を介して携帯通信端末から施設情報を取得することができる。
【０００９】
請求項３に記載した発明は、施設情報保持手段によって外部の情報源から施設に関する施設情報を取得し、施設情報送信手段によってその施設情報を車両用通信装置へ送信する携帯通信端末と、この携帯通信端末から送信された施設情報を取得する請求項１に記載した車両用通信装置とを備える車両用通信システムの発明であり、従って、請求項１に記載した発明と同様の効果を奏することができる。なお、この請求項３に記載した発明に、上記の請求項２に記載した発明の特定事項を組み込むことも当然に可能である。
【００１０】
請求項４に記載した発明によれば、携帯通信端末の施設情報保持手段は、施設情報送信手段により施設情報を車両用通信装置へ送信した後も、外部の情報源から取得した施設情報を保持し続ける。
従って、施設情報を車両用通信装置に送信した携帯通信端末には、車両用通信装置に送信した施設情報と同内容の施設情報が保持されるようになる。これにより、その携帯通信端末を所有するユーザは、例えばレンタカーなど普段とは異なる車両に乗車した場合であっても、その携帯通信端末に保持されている施設情報を、その異なる車両に搭載された車両用通信装置にも送信（ダウンロード）することができる。
【図面の簡単な説明】
【００１１】
【図１】本発明の一実施形態を示す機能ブロック図
【図２】携帯電話機の動作内容を示すフローチャート
【図３】車両用通信装置の動作内容を示すフローチャート
【発明を実施するための形態】
【００１２】
以下、本発明を、近距離無線通信機能としてＢｌｕｅｔｏｏｔｈ（登録商標）（以下、ＢＴと称する）通信機能を有するＢＴ対応の車両用通信装置に適用した一実施形態について、図面を参照して説明する。なお、ここでは、車両用通信装置が搭載されている車両の車室内に、ＢＴ通信機能を有するＢＴ対応の携帯電話機（以下、単に携帯電話機と称する）が車室内に持込まれ、車両用通信装置と携帯電話機とがＢＴ通信可能（近距離無線通信可能）な状態にあると判定した場合を説明する。
ＢＴ通信システム１（本発明でいう車両用通信システムに相当）は、車両に搭載されている車両用通信装置２と、車室内に持込まれた携帯電話機３（本発明でいう携帯通信端末に相当）とから構成される。
【００１３】
車両用通信装置２は、制御部４と、ＢＴモジュール５と、ＵＳＢ（Universal Serial Bus）モジュール６と、記憶部７と、音声処理部８と、表示制御部９と、操作入力部１０と、信号入力部１１などを備えて構成されている。制御部４と、ＵＳＢモジュール６と、記憶部７と、音声処理部８と、表示制御部９と、操作入力部１０と、信号入力部１１とは、制御基板１２に物理的に実装されており、ＢＴモジュール５は、制御基板１２とは別部材であるＢＴモジュール基板１３に物理的に実装されている。制御部４とＢＴモジュール５とはＵＳＢインタフェースを有し、両者はＵＳＢ通信回線を通じて接続されている。
【００１４】
制御部４は、周知のマイクロコンピュータからなるＣＰＵ、ＲＡＭ、ＲＯＭ及びＩ／Ｏバスなどを有し、車両用通信装置２の通信動作やデータ管理動作などの動作全般を制御する。また、この制御部４は、ＣＰＵにおいて制御プログラムを実行することにより、情報取得処理部４１（本発明でいう情報取得手段に相当）、情報記憶処理部４２（本発明でいう情報記憶手段に相当）、情報表示処理部４３（本発明でいう情報表示手段に相当）、情報更新処理部４４（本発明でいう情報更新手段に相当）、更新許可／不許可確認処理部４５（本発明でいう情報更新許可手段に相当）をソフトウェアによって仮想的に実現する。
【００１５】
ＢＴモジュール５は、後述する携帯電話機３のＢＴモジュールとの間でＢＴ通信回線を通じてＢＴ通信を実行する機能を有し、ＢＴの通信規格で規定されている複数のプロファイルを同時接続（所謂マルチ接続）可能に構成されている。これら複数のプロファイルは機能毎に定義された通信プロトコルを意味している。これらプロファイルとしては、例えば、仮想シリアルポート化したデータ通信を規定するＳＰＰ（Serial Port Profile）、ハンズフリー通話を規定するＨＦＰ（Hands Free Profile）、電話帳データの転送を規定するＰＢＡＰ（Phone Book Access Profile）、同じく電話帳データの転送を規定するＯＰＰ（Object Push Profile）、音データの転送を規定するＡ２ＤＰ（Advanced Audio Distribution Profile）、音データの制御に係る制御データの転送を規定するＡＶＲＣＰ（Audio/Video Remote Control Profile）、インターネットへのダイヤルアップ接続を規定するＤＵＮ（Dial-up Networking Profile）、電子メールデータの転送を規定するＭＡＰ（Message Access Profile）などが規定されている。ＢＴモジュール５と後述する携帯電話機３のＢＴモジュールとは両者の間でＰＯＩ情報など各種の情報をＢＴ通信回線により転送可能である。
【００１６】
ＵＳＢモジュール６は、ＵＳＢ接続ケーブル１４の一方の接続端子１４ａを着脱可能な接続端子６ａを有し、ＵＳＢ接続ケーブル１４の一方の接続端子１４ａが接続端子６ａに接続され且つＵＳＢ接続ケーブル１４の他方の接続端子１４ｂが後述する携帯電話機３のＵＳＢモジュールの接続端子に接続されている状態で、ＵＳＢ通信回線を携帯電話機３のＵＳＢモジュールとの間で接続し、ＵＳＢ通信回線によりＵＳＢ通信を実行する。ＵＳＢモジュール６と後述する携帯電話機３のＵＳＢモジュールとは両者の間でＰＯＩ情報など各種の情報をＵＳＢ通信回線により転送可能である。
記憶部７は、例えばハードディスクドライブなどの不揮発性の記憶媒体からなり、各種データを記憶する記憶領域を有して構成されている。
音声処理部８には車室内にあって例えばハンドルの近傍などのユーザが発した音声を集音し易い部位に配置されているマイクロホン１５が接続されていると共に、車両用通信装置２の外部に配置されているオーディオアンプ１６が接続されており、オーディオアンプ１６にはスピーカ１７ａ，１７ｂが接続されている。
【００１７】
音声処理部８は、ＢＴモジュール５と後述する携帯電話機３のＢＴモジュールとの間でＢＴ通信回線が接続されている状態では、ユーザが発した音声をマイクロホン１５から送話音声データとして入力すると、その入力した送話音声データを音声処理してＢＴモジュール５へ出力し、ＢＴモジュール５から受話音声データを入力すると、その入力した受話音声データをオーディオアンプ１６へ出力する。
オーディオアンプ１６は、音声処理部８から受話音声データや音データを入力すると、その入力した受話音声データや音データを増幅してスピーカ１７ａ，１７ｂから出力させる。また、オーディオアンプ１６にはチューナーデッキ１８も接続されており、オーディオアンプ１６はチューナーデッキ１８が例えば音楽用記録媒体から再生した楽曲音やラジオ放送局から受信したラジオ番組を当該チューナーデッキ１８から入力すると、その入力した楽曲音やラジオ番組を増幅してスピーカ１７ａ，１７ｂから出力させる。
【００１８】
ディスプレイ装置１９は、各種表示画面を表示する表示装置２０と、表示画面上にタッチスイッチを形成する操作装置２１とを備えて構成されている。この場合、操作装置２１は、ディスプレイ装置１９の画面上に、携帯電話機からＰＯＩ情報を取得（ダウンロード）するためのＰＯＩ情報取得スイッチなどを形成する。表示制御部９は、制御部４から表示指令信号を入力すると、その入力した表示指令信号に基づいてディスプレイ装置１９における表示装置２０の表示動作を制御する。操作入力部１０は、ユーザが表示画面上に形成されているタッチスイッチを操作したことに応じて操作装置２１から操作検出信号を入力すると、その入力した操作検出信号を制御部４へ出力し、制御部４は、操作入力部１０から入力した操作検出信号を解析してユーザの操作を特定する。
【００１９】
信号入力部１１は、車両に搭載されているＡＣＣ（アクセサリ）スイッチに接続されており、ＡＣＣスイッチから出力されたＡＣＣ信号を入力すると、その入力したＡＣＣ信号を制御部４へ出力する。制御部４は、信号入力部１１から入力したＡＣＣ信号のオンオフに基づいて装置電源をオンオフする。即ち、制御部４は、ＡＣＣ信号がオフからオンに遷移したタイミングで装置電源をオンし（車両用通信装置２を起動し）、ＡＣＣ信号がオンからオフに遷移したタイミングで装置電源をオフする（車両用通信装置２を停止する）。
【００２０】
上記の記憶部７を揮発性の記憶媒体で構成すると、その記憶内容は、ＡＣＣ信号がオフ（車両用通信装置２が停止）するごとに消去されてしまう。そのため、詳しくは後述するようにして記憶部７に記憶されるＰＯＩ情報がＡＣＣ信号がオフ（車両用通信装置２が停止）するごとに消去されてしまい、従って、ＡＣＣ信号がオン（車両用通信装置２が起動）する度にＰＯＩ情報のダウンロードを毎回実行する必要が生じてしまう。この場合、特に、ダウンロードするＰＯＩ情報に含まれる施設件数、つまり、車両用通信装置２に送信すべきデータ量が多いと、通信回線におけるデータ通信量も多くなってしまう。このような事情に鑑み、本実施形態では、記憶部７を不揮発性の記憶媒体とする構成例を開示している。なお、記憶部７を揮発性の記憶媒体で構成することを完全に除外することを意図するものではない。
【００２１】
情報取得処理部４１は、ＢＴ通信回線あるいはＵＳＢ通信回線によって携帯電話機が車両用通信装置２に接続されると、これらＢＴ通信回線あるいはＵＳＢ通信回線を介して、その携帯電話機からＰＯＩ情報および当該携帯電話機の識別情報（その携帯電話機に割り当てられた電話番号、その携帯電話機に付与された製造番号など識別符号）を取得（ダウンロード）する。携帯電話機から取得した識別情報は、車両用通信装置２において、ＰＯＩ情報の送信元である携帯電話機を識別するための情報として利用される。
【００２２】
情報記憶処理部４２は、１つの携帯電話機について情報取得処理部４１が当該携帯電話機から取得（ダウンロード）したＰＯＩ情報を当該携帯電話機（当該携帯電話機の識別情報）に対応付けて記憶部７に記憶する。即ち、記憶部７は、ＰＯＩ情報を記憶する記憶領域として、１つの携帯電話機からダウンロードしたＰＯＩ情報を記憶するための１つの記憶領域を有している。このように記憶部７に記憶されたＰＯＩ情報は、例えばナビゲーション装置による経路案内において設定される目的地や経由地の情報として利用することができる。
【００２３】
情報表示処理部４３は、記憶部７に記憶されている情報に対応する携帯電話機が車両用通信装置２に接続された場合に、その情報（記憶部７に記憶されている情報）を表示部であるディスプレイ装置１９（表示装置２０）の画面にリスト表示する。
情報更新処理部４４は、記憶部７に記憶されている情報を更新（上書き）する処理を実行可能に構成されている。
【００２４】
更新許可／不許可確認処理部４５は、図示しない更新許可／不許可確認用画面をディスプレイ装置１９（表示装置２０）に表示して、当該更新許可／不許可確認用画面を介して、記憶部７に記憶されている情報の更新の許可が指示されたか否か、あるいは、不許可が指示されたか否かを確認する。この更新許可／不許可確認用画面には、例えば、「上書きしますか？」というメッセージとともに、情報の更新（上書き）を許可するための「ＹＥＳ」ボタン、および、情報の更新（上書き）を許可しないための「ＮＯ」ボタンなどが設けられる。ユーザは、「ＹＥＳ」ボタンを操作することで、情報を更新することを許可することができ、「ＮＯ」ボタンを操作することで、情報の更新を不許可とすることができる。
【００２５】
次に、携帯電話機３の構成について説明する。携帯電話機３は、制御部２２と、電話通信部２３ａと、情報通信部２３ｂと、ＢＴモジュール２４と、ＵＳＢモジュール２５と、キー入力部２６と、記憶部２７と、表示部２８と、マイクロホン２９と、スピーカ３０と、電力供給部３１などを備えて構成されている。
制御部２２は、周知のマイクロコンピュータからなるＣＰＵ、ＲＡＭ、ＲＯＭ及びＩ／Ｏバスなどを有し、携帯電話機３の通信動作やデータ管理動作などの動作全般を制御する。この制御部２２は、ＣＰＵにおいて制御プログラムを実行することにより、施設情報保持処理部６１（本発明でいう施設情報保持手段に相当）および施設情報送信処理部６２（本発明でいう施設情報送信手段に相当）をソフトウェアによって仮想的に実現する。電話通信部２３ａは、電話通信網３３との間で電話通信を実行する。なお、電話通信網３３は携帯電話基地局や基地局制御装置などの周知の携帯電話通信サービスを提供する設備を含むものである。
【００２６】
情報通信部２３ｂは、例えば広域通信網を介して外部の情報センター５１（本発明でいう外部の情報源に相当）との間で各種の情報通信を実行する。この情報センター５１には、各種の情報が最新の状態で格納されるようになっており、携帯電話機３は、この情報センター５１から情報通信部２３ｂを介して種々の情報を獲得（ダウンロード）することが可能である。この場合、携帯電話機３が情報センター５１から獲得（ダウンロード）する情報には、例えば店舗、工場、公園といった各種施設などに関するＰＯＩ（Point Of Interface）情報、つまり、各種施設の名称や所在地などの情報が１件以上含まれる。
【００２７】
ＢＴモジュール２４は、前述した車両用通信装置２のＢＴモジュール５との間でＢＴ通信回線を通じてＢＴ通信を実行する機能を有し、ＢＴの通信規格で規定されている複数のプロファイルを同時接続可能に構成されている。
ＵＳＢモジュール２５は、ＵＳＢ接続ケーブル１４の他方の接続端子１４ｂを着脱可能な接続端子２５ａを有し、ＵＳＢ接続ケーブル１４の一方の接続端子１４ａが車両用通信装置２のＵＳＢモジュール６の接続端子６ａに接続され且つＵＳＢ接続ケーブル１４の他方の接続端子１４ｂが接続端子２５ａに接続されている状態で、ＵＳＢ通信回線を車両用通信装置２のＵＳＢモジュール６との間で接続し、ＵＳＢ通信回線によりＵＳＢ通信を実行する。
【００２８】
キー入力部２６は、ユーザが操作可能な各種キーを備え、ユーザがキーを操作したことに応じて操作検出信号を制御部２２へ出力し、制御部２２は、キー入力部２６から入力した操作検出信号を解析してユーザの操作を特定する。記憶部２７は、各種データを記憶する記憶領域を有して構成されている。この場合、記憶部２７には、情報センター５１からダウンロードしたＰＯＩ情報が記憶されるとともに、当該携帯電話機３の識別情報などが格納されている。なお、携帯電話機３が備える記憶部２７は、不揮発性の記憶媒体で構成するとよいが、揮発性の記憶媒体で構成してもよい。
【００２９】
表示部２８は、例えばディスプレイ装置などの表示装置から構成されており、制御部２２から表示指令信号を入力すると、その入力した表示指令信号に基づいて各種表示画面を表示する。マイクロホン２９は、ユーザが発した音声を送話音声として入力し、スピーカ３０は、通話相手から電話通信部２３ａにより受信した音声を受話音声として出力する。電力供給部３１は、本体に対して着脱可能なバッテリ３２から放電される電力を動作電力として各機能ブロックへ供給する。
施設情報保持処理部６１は、情報通信部２３ｂを介して、外部の情報源である情報センター５１からＰＯＩ情報を取得して記憶部２７に保持（記憶）する。
施設情報送信処理部６２は、ＢＴ通信回線あるいはＵＳＢ通信回線を介して、記憶部２７に保持されているＰＯＩ情報を車両用通信装置２へ送信する。
【００３０】
車両用通信装置２の通信相手である携帯電話機３は、上記したようにＵＳＢ通信回線がＵＳＢモジュール６とＵＳＢモジュール２５との間で接続され且つＢＴ通信回線がＢＴモジュール５とＢＴモジュール２４との間で接続されている状態ではＰＯＩ情報を車両用通信装置２へ送信するリソースとしてＵＳＢ通信回線とＢＴ通信回線との複数を有することになる。携帯電話機３は、このようにＰＯＩ情報を車両用通信装置２へ送信するリソースとしてＵＳＢ通信回線とＢＴ通信回線との複数を有する場合には、ＰＯＩ情報の出力開始要求を示すＰＯＩ情報出力開始要求コマンドを車両用通信装置２から受信することで、ＰＯＩ情報をＵＳＢ通信回線及びＢＴ通信回線のうち何れかのリソースにより車両用通信装置２へ送信する。
【００３１】
また、車両用通信装置２および携帯電話機３は、通信回線を介して相互に接続された状態では、それぞれにインストールされた連携プログラムを実行することによって相互に連携して動作するようになっており、これにより、例えば、車両用通信装置２で実行されるアプリケーションを携帯電話機３で操作したり、逆に、携帯電話機３で実行されるアプリケーションを車両用通信装置２で操作したりすること、車両用通信装置２で実行しているアプリケーションを携帯電話機３の表示部２８やスピーカ３０を介して出力したり、逆に、携帯電話機３で実行しているアプリケーションを車両用通信装置２のディスプレイ装置１９やスピーカ１７ａ，１７ｂを介して出力したりすることなどが可能となっている。
【００３２】
次に、上記した構成の動作内容について図２および図３を参照して説明する。
図２は、携帯電話機３における動作内容を示している。即ち、携帯電話機３の制御部２２は、ユーザによるキー入力部２６の操作に応じて、情報センター５１からＰＯＩ情報を取得（ダウンロード）する（ステップＡ１）。そして、制御部２２は、取得したＰＯＩ情報を記憶部２７に記憶する（ステップＡ２）。
図３は、車両用通信装置２における動作内容を示している。即ち、車両用通信装置２の制御部４は、当該車両用通信装置２に携帯電話機が接続されたか否かを監視しており（ステップＢ１）、携帯電話機（この場合、携帯電話機３）が接続されると（ステップＢ１：ＹＥＳ）、ユーザによるディスプレイ装置１９（操作装置２１）のタッチスイッチ（ＰＯＩ情報取得スイッチ）の操作に応じて、その携帯電話機３からＰＯＩ情報および当該携帯電話機３の識別情報を取得（ダウンロード）する（ステップＢ２）。そして、制御部４は、その取得したＰＯＩ情報を、そのＰＯＩ情報の送信元である携帯電話機（取得した識別情報によって特定される携帯電話機であり、この場合、携帯電話機３）に対応付けて記憶部７に記憶する（ステップＢ３）。この場合、制御部４は、ＰＯＩ情報を携帯電話機３の識別情報にも対応付けて記憶部７に記憶するように構成するとよい。
【００３３】
なお、このとき、ＰＯＩ情報を送信した携帯電話機３の制御部２２は、当該携帯電話機３の記憶部２７に記憶されているＰＯＩ情報は消去しないようになっている。従って、ＰＯＩ情報を送信した携帯電話機３には、車両用通信装置２に送信したＰＯＩ情報と同内容のＰＯＩ情報が保持されるようになっている。これにより、その携帯電話機３を所有するユーザは、その携帯電話機３からＰＯＩ情報を送信した車両用通信装置２を搭載する車両とは異なる車両（例えばレンタカーなど普段とは異なる車両）に乗車した場合であっても、その携帯電話機３に保持されているＰＯＩ情報を、その異なる車両に搭載された車両用通信装置にも送信（ダウンロード）することが可能となる。
このように１つの携帯電話機（この場合、携帯電話機３）からＰＯＩ情報を取得した車両用通信装置２の制御部４は、その携帯電話機を登録携帯電話機として設定するとともに、その後、携帯電話機（登録携帯電話機以外の携帯電話機を含む）が接続されたか否かを監視する（ステップＢ４）。そして、再び携帯電話機が接続されると（ステップＢ４：ＹＥＳ）、制御部４は、その携帯電話機が、登録携帯電話機（この場合、携帯電話機３）であるか否かを判断する（ステップＢ５）。
【００３４】
制御部４は、接続された携帯電話機が登録携帯電話機（この場合、携帯電話機３）である場合（ステップＢ５：ＹＥＳ）には、その時点において記憶部７に記憶されているＰＯＩ情報、即ち、その時点における登録携帯電話機である携帯電話機３から取得したＰＯＩ情報のリストをディスプレイ装置１９（表示装置２０）に表示する（ステップＢ６）。そして、制御部４は、ディスプレイ装置１９に更新許可／不許可確認用画面を表示して、記憶部７に記憶されている情報を更新（上書き）するか否かを確認する（ステップＢ７）。
ユーザが更新許可／不許可確認用画面を介して情報の更新を許可した場合（ステップＢ７：ＹＥＳ）には、制御部４は、その時点で接続されている携帯電話機（この場合、登録携帯電話機である携帯電話機３）から新たにＰＯＩ情報を取得（ダウンロード）する（ステップＢ８）。そして、制御部４は、記憶部７に記憶されているＰＯＩ情報を、新たに取得したＰＯＩ情報に更新して（ステップＢ９）、この制御を終了する。これにより、登録携帯電話機が車両用通信装置２に接続するたびに、その時点で当該登録携帯電話機が記憶している最新のＰＯＩ情報が車両用通信装置２に記憶されるようになる。
【００３５】
なお、このとき、制御部４は、登録携帯電話機から全てのＰＯＩ情報を新たに取得して、記憶部７に記憶されている全てのＰＯＩ情報を更新するように構成してもよいし、車両用通信装置２の記憶部７に記憶されているＰＯＩ情報と登録携帯電話機の記憶部２７に記憶されているＰＯＩ情報とを照合することによってＰＯＩ情報の差分（異なる部分）を特定し、そのＰＯＩ情報の差分のみを新たに取得してＰＯＩ情報を部分的に更新するように構成してもよい。また、上記のステップＢ７において、ユーザが更新許可／不許可確認用画面を介して情報の更新を許可しなかった場合、つまり、不許可とした場合（ステップＢ７：ＮＯ）には、制御部４は、その時点において記憶部７に記憶されているＰＯＩ情報を保持したまま（更新することなく）、この処理を終了する。
【００３６】
上記のステップＢ５において、制御部４は、接続された携帯電話機が登録携帯電話機（この場合、携帯電話機３）でない場合、つまり、登録携帯電話機とは異なる携帯電話機が車両用通信装置２に接続されている場合（ステップＢ５：ＮＯ）には、その時点において記憶部７に記憶されているＰＯＩ情報のリストをディスプレイ装置１９（表示装置２０）に表示することなく、ディスプレイ装置１９に更新許可／不許可確認用画面を表示して、記憶部７に記憶されている情報を更新（上書き）するか否かを確認する（ステップＢ１０）。
ユーザが更新許可／不許可確認用画面を介して情報の更新を許可した場合（ステップＢ１０：ＹＥＳ）には、制御部４は、登録携帯電話機とは異なる携帯電話機からＰＯＩ情報および当該携帯電話機の識別情報を取得（ダウンロード）する（ステップＢ１１）。そして、制御部４は、新たにＰＯＩ情報を取得した携帯電話機（当初の登録携帯電話機とは異なる携帯電話機）を新たな登録携帯電話機として設定するとともに、記憶部７に記憶されているＰＯＩ情報を、新たに取得したＰＯＩ情報に更新して（ステップＢ１２）、この制御を終了する。
【００３７】
なお、この場合も、制御部４は、新たに取得したＰＯＩ情報を、その情報の送信元である携帯電話機（更新前の当初の登録携帯電話機とは異なる携帯電話機）に対応付けて記憶部７に記憶するようになっている。また、ユーザが更新許可／不許可確認用画面を介して情報の更新を許可しなかった場合（ステップＢ１０：ＮＯ）には、制御部４は、その時点において記憶部７に記憶されているＰＯＩ情報を保持したまま（更新することなく）、この処理を終了する。
このように車両用通信装置２に記憶されたＰＯＩ情報は、例えばナビゲーション装置での目的地や経由地の設定に利用される。例えば、目的地を設定する際、ＰＯＩ情報のリストをディスプレイ装置１９に表示し、ユーザに選択させてもよい。
【００３８】
また、ＰＯＩ情報に含まれる施設に関する詳細情報を外部から入手してもよい。この場合、車両用通信装置２（制御部４）および携帯電話機３（制御部２２）は、それぞれにインストールされた連携プログラムを実行することによって相互に連携して動作し、携帯電話機３（制御部２２）が外部の情報センター５１からＰＯＩ情報の詳細情報（例えば、その施設で開催されているイベント情報、その施設の営業日、その施設周辺の天候情報、その施設周辺の駐車場情報など）を取得（ダウンロード）し、車両用通信装置２（制御部４）がその詳細情報を携帯電話機３から取得（ダウンロード）してディスプレイ装置１９に表示するように構成するとよい。
【００３９】
以上に説明したように本実施形態によれば、車両用通信装置２（制御部４）は、携帯電話機が接続されると、情報取得処理部４１によって、その携帯電話機からＰＯＩ情報を取得する。そして、車両用通信装置２は、その１つの携帯電話機について情報取得処理部４１が当該携帯電話機から取得したＰＯＩ情報を、情報記憶処理部４２によって当該携帯電話機に対応付けて記憶部７に記憶する。そして、車両用通信装置２は、記憶部７に記憶されているＰＯＩ情報に対応する携帯電話機（登録携帯電話機）が再び車両用通信装置２に接続された場合に、情報表示処理部４３によって、記憶部７に記憶されているＰＯＩ情報を表示する。
【００４０】
これにより、記憶部７に記憶されているＰＯＩ情報は、そのＰＯＩ情報に対応する携帯電話機、つまり、登録携帯電話機が再び車両用通信装置２に接続された場合にのみ表示されるようになり、そのＰＯＩ情報に対応する携帯電話機とは異なる携帯電話機、つまり、登録携帯電話機とは異なる携帯電話機が車両用通信装置２に接続されたとしても表示されないようになる。従って、携帯電話機から車両用通信装置２に送信したＰＯＩ情報を、その携帯電話機とは異なる携帯電話機を所有する他人に見られることなく保護することができる。
車両においては、家族で１台の車両をシェアする場合や、例えば社有車やレンタカーなどのように１台の車両に見ず知らずの他人も乗車する場合もある。本発明は、自身の携帯電話機から車両用通信装置２に送信したＰＯＩ情報を他人に見られることなく保護することができる発明であるから、このように１台の車両に他人が乗車することが想定される場合に特に有効である。
【００４１】
また、車両用通信装置２（制御部４）は、情報更新処理部４４によって、記憶部７に記憶されているＰＯＩ情報を更新可能に構成されている。また、車両用通信装置２（制御部４）は、更新許可／不許可確認処理部４５が表示する更新許可／不許可確認用画面を介して、情報の更新の許可あるいは不許可を入力可能に構成されている。そして、車両用通信装置２（制御部４）は、記憶部７に記憶されているＰＯＩ情報に対応する携帯電話機（登録携帯電話機）とは異なる携帯電話機が接続された場合に、更新許可／不許可確認用画面を介してＰＯＩ情報の更新が許可されると、情報取得処理部４１によって、その異なる携帯電話機から新たにＰＯＩ情報を取得するとともに、情報更新処理部４４によって、記憶部７に記憶されている情報を、その異なる携帯電話機について情報取得処理部４１が当該携帯電話機から取得したＰＯＩ情報に更新する。
【００４２】
これにより、当初に記憶部７に記憶されているＰＯＩ情報に対応する携帯電話機（登録携帯電話機）とは異なる携帯電話機が車両用通信装置２に接続された場合に、その当初のＰＯＩ情報（当初に記憶部７に記憶されているＰＯＩ情報）の更新が許可されると、その異なる携帯電話機から取得したＰＯＩ情報が新たに記憶部７に記憶されるようになる。即ち、以降においては、その異なる携帯電話機から車両用通信装置２に送信したＰＯＩ情報を、他人に見られることなく保護することができるようになる。
【００４３】
また、車両用通信装置２（制御部４）は、ステップＢ５の判断処理（接続された携帯電話機が登録携帯電話機であるか否かの判断処理）を携帯電話機の識別情報も加味して実行するとともに、その判断結果に応じて、ＰＯＩ情報の表示または非表示を決定するように構成するとよい。即ち、制御部４は、接続された携帯電話機が記憶部７に記憶されている識別情報と同一の識別情報を有する携帯電話機であるか否かを判定する。そして、接続された携帯電話機が記憶されている識別情報と同一の識別情報を有する携帯電話機であると判定した場合には、記憶部７に記憶されている施設情報を表示する。一方、接続された携帯電話機が記憶されている識別情報と同一の識別情報を有する携帯電話機でないと判定した場合には、記憶部７に記憶されている施設情報を表示しないように構成する。
このように、施設情報の記憶処理および表示処理を携帯電話機の識別情報を関連付けて実行することにより、対象となる携帯電話機を正確に特定したり判定したりすることができるようになり、処理の正確性を向上することができる。
【００４４】
なお、本発明は、上述した一実施形態のみに限定されるものではなく、その要旨を逸脱しない範囲で種々の実施形態に適用可能であり、例えば、以下のように変形または拡張することができる。
本発明で扱うことができる情報は、ＰＯＩ情報に限られるものではなく種々の情報（例えば、各種の音声情報、文字情報、画像情報など）を扱うことができる。この場合、携帯通信端末に記憶される情報の中でも、特に、車両側に搭載された各種装置でも利用可能な情報を扱うようにすると有効である。
携帯通信端末は、携帯電話機に限られるものではなく、種々の携帯型の通信端末を採用することができる。
車両用通信装置２は、車両に組み込まれる車載装置のほか、例えば車両に着脱可能な携帯型の無線装置などで構成することができる。
本実施形態でいう近距離通信とは、一般的な車両の車室内をカバーする程度の距離を主として想定しているが、例えば、車両のタイプ（型）や大きさ、車両用通信装置２の通信性能、携帯電話機３の通信性能など種々の要因に応じて、その距離範囲を適宜変更して実施することができ、その距離範囲に適した通信機能を採用することができる。
【符号の説明】
【００４５】
図面中、１はＢＴ通信システム（車両用通信システム）、２は車両用通信装置、３は携帯電話機（携帯通信端末）、４１は情報取得処理部（情報取得手段）、４２は情報記憶処理部（情報記憶手段）、４３は情報表示処理部（情報表示手段）、４４は情報更新処理部（情報更新手段）、４５は更新許可／不許可確認処理部（情報更新許可手段）、６１は施設情報保持処理部（施設情報保持手段）、６２は施設情報送信処理部（施設情報送信手段）を示す。
【図１】
0005360139.tif 000002
【図２】
0005360139.tif 000003
【図３】
0005360139.tif 000004